(57)【要約】各クラブはヘッド１を有し、前記ヘッドは、壁によって形成されたキャビティ４を持った後面を有するとともに、ソールを形成する少なくとも１個の底部壁７と１個の上部壁とを備え、前記上部壁は、後部面１６と、上部面１４と、キャビティ４に面する下部面１５と、側部面１７・１８とからなる複数の面を有し、前記セット中の複数本のクラブは、上部壁１３中に形成された少なくとも１個の凹所２０−２３と、上部面１４と下部面１５から離間して前記上部壁１３の一つの面に形成された開口とを有し、少なくとも１個の凹所の上部壁１３内の容積および／または位置は、セットの中で１本のクラブから他のクラブへと変化し、各ヘッドの重心位置は、１本のクラブから他のクラブへと変化してなることを特徴とする。
2004531298.tif 000002
【特許請求の範囲】
【請求項１】
各クラブはヘッド１を有し、前記ヘッドは、壁によって形成されたキャビティ４を持った後面を有するとともに、ソールを形成する少なくとも１個の底部壁７と１個の上部壁とを備え、前記上部壁は、後部面１６と、上部面１４と、キャビティ４に面する下部面１５と、側部面１７・１８とからなる複数の面を有し、前記セット中の複数本のクラブは、上部壁１３中に形成された少なくとも１個の凹所２０−２３と、上部面１４と下部面１５から離間して前記上部壁１３の一つの面に形成された開口とを有し、少なくとも１個の凹所の上部壁１３内の容積および／または位置は、セットの中で１本のクラブから他のクラブへと変化し、各ヘッドの重心位置は、１本のクラブから他のクラブへと変化してなることを特徴とするアイアンタイプのゴルフクラブセット。
【請求項２】
前記凹所２０−２３は、上部壁１３の後部面１６に開口してなることを特徴とする請求項１に記載のゴルフクラブセット。
【請求項３】
前記凹所３３は、上部壁の側部面１７に開口してなることを特徴とする請求項１に記載のゴルフクラブセット。
【請求項４】
前記凹所３３は、ヘッドのトウ側に位置する上部壁の側部面１７に開口してなることを特徴とする請求項３に記載のゴルフクラブセット。
【請求項５】
前記凹所２０−２３・３３は、上部壁の主方向に細長いことを特徴とする請求項２に記載のゴルフクラブセット。
【請求項６】
前記凹所は、円筒状であることを特徴とする請求項２または３に記載のゴルフクラブセット。
【請求項７】
前記凹所は、ポリウレタンフォームのような低密度の物質で充填されていることを特徴とする請求項１に記載のゴルフクラブセット。
【請求項８】
前記凹所の容積は、ヘッド容積の０．４％〜５％であることを特徴とする請求項１に記載のゴルフクラブセット。
【請求項９】
ホーゼルと凹所５６・５８・６２との離間距離ｄ２・ｄ５・ｄ９は、低番手アイアンであるロングアイアンから高番手アイアンであるショートアイアンへと増加することを特徴とする請求項１に記載のゴルフクラブセット。
【請求項１０】
ホーゼル２と凹所との離間距離は、低番手アイアンであるロングアイアンから高番手アイアンであるショートアイアンへと減少することを特徴とする請求項１に記載のゴルフクラブセット。
【請求項１１】
前記全凹所６６−７０・７２−７６・７９−８２の容積は、ロングアイアンからショートアイアンへと減少することを特徴とする請求項１に記載のゴルフクラブセット。
【請求項１２】
前記凹所４１−４５・４７−４９・５１の数は、ロングアイアンからショートアイアンへと減少することを特徴とする請求項１に記載のゴルフクラブセット。
【請求項１３】
前記上部壁１３の上部面１４と凹所との離間距離は、１本のクラブから他のクラブへと変化することを特徴とする請求項１に記載のゴルフクラブセット。
【発明の詳細な説明】
【技術分野】
【０００１】
本発明は、ゴルフの分野に関する。より詳しくは、特に、“アイアン”タイプのゴルフクラブのヘッドに関するものである。より詳しくは、後部にキャビティを有するアイアンに関し、その幾何的形状が重量配分を最適化すると同時に、優れた打撃特性を発揮する。
【背景技術】
【０００２】
一般的には、ヘッドが鋳造または鍛造によって形成されたゴルフクラブは、“アイアン”として知られている。アイアンヘッドは、すべて、フラットな打撃面を有し、その傾斜角はセットの中のアイアンの番手ごとに異なっている。低番手のアイアンは、すなわち“ロングアイアン”とも言われる１〜４番は、いわゆる“ショートアイアン”よりも垂直に対して傾斜していない打撃面をもっている。ショートアイアンは、セットの中でもいわゆる８、９番、ピッチングウェッジである高い番手である。
【０００３】
アイアンの寛容性を改善する目的の一つは、打撃面のセンターの周りで、ヘッドの周辺における重量配分である。“スイートスポット”とも呼ばれるインパクトの理想的な領域に相当する打撃面のセンターは、重量が周辺に配分されていればいるほど、広い。
【０００４】
このことが、ある番手のクラブは、ヘッドが打撃面の後ろの背面に広がる壁によって形成された後部キャビティを有することがすでに提案されている理由である。このキャビティは、別の問題として、多様な装飾や機能的な要素を含ませることもできる。
【０００５】
後部キャビティを形成する壁の中で、低部壁は、通常“ソール”として知られるものを構成する。その底面は、打つときに地面に接するものである。前記キャビティは、ゴルファーがボールを打とうとしかつ打つときに、ゴルファーの視界の中にある上部壁によっても形成されている。前記キャビティは、側部の二つの壁によっても形成されている。そのうちの一つの壁は、“ヒール”としても知られている、シャフトに接続されているヘッドの側部に位置しており、もう一つの壁は、“トウ”としてもよく知られている反対側の側部に位置している。キャビティを形成する一連の壁は、一般的に“周辺部”として知られている。
【０００６】
周辺部の周辺形状は、周辺部にヘッドの重量の一部を配分し、このことによって“スイートスポット”を広げるとともに、正確さの寛容度を広げる。
【０００７】
ソールを形成する低部壁の重量を特に増加することによって、かつ、上部壁の重量を減らすことによってカウンターパートとして、さらに重量配分を改善することを目的とした特殊な形状を付与することが、周辺部に対してすでに提案されている。特許文献１には、後部キャビティを持ったゴルフクラブが記載されている。その周辺の低部壁は、キャビティの内側に向かう凸部を有するとともに、それゆえ、ヘッドの底部の重量が増加する。この解決方法は、ヘッドの底部の重量を増加させるが、打撃面の中央領域を硬くするという欠点を有し、そのために“スイートスポット”を減少させ、かつそれゆえに寛容という点では極めて平凡という結果をもたらすという問題がある。
【特許文献１】
米国特許公報5048834号
【０００８】
特許文献２には、周辺部の壁に関して、壁がキャビティの底部に位置する領域で、打撃面の後ろを中空にすることも提案されている。この解決方法は、打撃面の直ぐ隣の周辺にヘッドの重量を減少させるとともに、打撃面の後ろに向かってさらに重量の一部をずらしている。この公報に記載されたヘッドは、ヘッドの上部面及び低面に開口するスロットも具備している。これらのスロットは、上部壁と、下部壁と、側部壁との間を識別する分離感を生み出す。この解決方法は、これらのスロットの存在によって周辺部を弱くするという欠点もたらす。したがって、このようにして分離された後部壁は、ゴルファーにとって障害となる振動を大きくする傾向がある。さらには、ヘッドの上部面にあるスロットは、ゴルファーから見えるとともに、ゴルファーにとって視覚的に邪魔になる。
【特許文献２】
米国特許公報5437456号
【発明の開示】
【発明が解決しようとする課題】
【０００９】
本発明の目的は、ソールを形成する底部壁よりも周辺部に重量を配分することを可能にすると同時に、大きな寛容性を持たせるためにスイートスポットをより広くすることができるゴルフクラブヘッドを提供することである。このような重量配分を、セットの中の各クラブに対して最適化することもまた重要である。
【課題を解決するための手段】
【００１０】
本発明は、“アイアン”タイプの一組のゴルフクラブセットに関するものである。クラブヘッドの後部面は、複数の壁、すなわちソールを形成する少なくとも一つの底部壁と、上部壁とによって形成されたキャビティを有している。
【００１１】
前記上部壁は、複数の面、すなわち後部面と、上部面と、キャビティに面する下部面と、側部面とを有している。
【００１２】
本発明によれば、セットの中の複数のゴルフクラブは、上部壁に形成された少なくとも一つの凹所と、前記上部壁の一つの面であって、上部面と下部面とから離れて形成される開口とを持ったヘッドを有している。
【００１３】
換言すれば、キャビティを形成する上部壁は、この上部の重量を減少させるために凹所が形成されている。結果的に、周辺部の重量配分は,底部壁に特別な地位を与えている。一つの面に開口することによって、特徴のある凹所は、周辺部を弱くさせないようになっている。
【００１４】
上部壁に形成された凹所は、ゴルファーの視界から見えないように、かつゴルファーが準備して打とうとするときに邪魔にならないように、上部面を除き、様々な場所に開口しても良い。
【００１５】
したがって、特徴のある凹所は、上部壁の後部面か、代わりにこの壁の側部面、すなわちヘッドの側部面に開口しても良い。
【００１６】
言い換えれば、これらの凹所の開口は、ヘッドの後部か又はこれらの側部側の一つに位置している。
【００１７】
もし、凹所がヘッドの側部面に開口する場合には、製造時の理由からヘッドのトウ側の側部面であることが好ましい。
【００１８】
前記特徴のある凹所は、上部壁の一つの面に開口される場合には、極めて変化に富んだ形状を採用しても良い。すなわち、前記凹所は、上部壁の主方向に細長くてもよい。換言すれば、上部壁の後部面に開口する凹所の場合、凹所の開口は、上部壁に対してほぼ平行で長い寸法を持っているか、または後者の壁（上部壁）が直線ではない場合にその微妙な曲率の長い寸法を持っている。
【００１９】
凹所が、クラブヘッドの側部面に開口して形成される場合、上部壁の上下部面に平行でかつ打撃面にも平行な壁の実際の厚さの中に中空状に形成される。
【００２０】
ある特定の実施形態においては、前記凹所は、上部壁の後部面に開口する場合であっても、側部壁に開口する場合であっても円筒状である。この場合には、例えば、穴あけ加工（milling）、ドリル加工または代わりの直接噴射（directly by injection）加工によって形成しても良い。
【００２１】
重量配分を変化させることになる土や他の物質で凹所がいっぱいになってしまうのを避けるために、異物の進入を防ぐように、たとえばポリウレタンフォームのような低密度の物質で凹所を充填しておくことが好ましい。充填物質は、重量配分にほとんど影響を与えないように選択される。
【００２２】
実際問題として、凹所の容積は、ヘッドの容積の０．４％〜５％であることが好ましい。前記凹所の容積は、同じ外部形状を持つ上部壁に対する凹所に導入する必要がある物質の容積を意味するものとして認識される。このことは、上部壁から除去される容積に対応するとともに、ヘッドの重心を低くするように底部壁に移される容積に相当する。
【００２３】
ゴルフをする場合、ゴルファーは異なった特徴のアイアンセットを持っている。長距離を目的とする１〜４番のロングアイアンと、５〜７番のミドルアイアンと、正確なショットを目的とする８番・９番・PWのショートアイアンがある。
【００２４】
本発明によれば、上部壁内の凹所の容積および／またはそれらの位置は、ヘッドの重心位置が１本のクラブから他のクラブへと互いに異なるようにセットの中で変化させることができる。これ等の幾何学的な特徴は、セットの中で同じ意味で変化する。
【００２５】
また、ある特別な実施形態では、ホーゼルから１個の凹所または複数個の凹所までの離間距離は、クラブの番手とともに増加しても良いし減少しても良い。ホーゼルと凹所との距離は、１個の凹所または複数個の凹所の重心（すなわち重力中心）からシャフトの軸までの距離を意味するものとして認識される。
【００２６】
第１のセットにおいては、この距離はクラブ番手に伴って増加する。換言すれば、特徴のある凹所からクラブシャフトまでの離間距離は、ロングアイアンからショートアイアンへと増加する。このプログレッションによってかつ一定の凹所の容積によって、最も番手の短いアイアンはシャフトの軸に対して低慣性モーメントを持っている。
【００２７】
逆に、別のセットでは、この距離はクラブ番手に伴って減少する。換言すれば、特徴のある凹所からクラブシャフトまでの離間距離は、ロングアイアンからショートアイアンへと減少する。この増加と一定の凹所の容積によって、最も長いアイアンは、ヘッドの上部壁がホーゼルから上方に向かって傾斜するために、ショートアイアンと比較して重心が低くなる。
【００２８】
他の実施形態では、全凹所の容積は、クラブの番手によって増加しまたは減少しても良い。換言すれば、凹所の合計容積が、ロングアイアンとショートアイアンとの間で変化する。この容積の変化は、特に、凹所の深さを変化させることによって実現するかまたは開口する壁の面に開口（aperture）を増加させることによって実現してもよい。
【００２９】
もし凹所がヘッドの側部面に開口しかつ横方向の場合には、この凹所の深さはより深くなっても良いし浅くなっても良い。
【００３０】
特徴がある凹所の影響の累進性に関して他の変形例においては、これらはセットの中でのクラブ番手に伴って数が減少する。換言すれば、凹所の数は、ロングアイアンからショートアイアンへと減少する。
【００３１】
他の変形例においては、上部壁の上部面から１個の凹所または複数個の凹所までの離間距離は、１本のクラブから他のクラブへと互いに変化する。換言すれば、前記凹所は、ヘッドの重心位置を修正するために、上部壁内での異なる高さに位置させても良い。
【００３２】
本発明は、上記の方法で達成されるとともに、そこから派生する利点は、添付図面による実施形態の記載から明らかになる。図１は、第１実施形態によるゴルフクラブヘッドの後ろから見た図であり、図２は、図１における面II−II’の断面図であり、図３は、図１のヘッドを上から見た図であり、図４は、第２実施形態によるヘッドを後ろから見た図であり、図５は、第３実施形態によるヘッドを後ろから見た図であり、図６は、図５の右側面から見た図であり、図７は図５を上から見た図であり、図８ａ・８ｂ・８ｃは、異なる番手を持った同じセットのクラブ中の３個のヘッドを後ろから見た図であり、図９ａ・９ｂ・９ｃは、第２のクラブセットに関する３個のヘッドを後ろから見た図であり、図１０ａ・１０ｂ・１０ｃは、本発明による第３のクラブセットに関する３個のヘッドを後ろから見た図である。
【発明を実施するための最良の形態】
【００３３】
すでに、上記したように、本発明は、“アイアン”タイプのゴルフクラブのヘッドに関するものである。図１及び図２に示したように、このようなヘッド１は、一般的に、シャフトに接続するためのホーゼル２と、ボールを打つ打撃面３とを有している。
【００３４】
その後部には、ヘッド１は、キャビティ４と、打撃面３の後ろにあるキャビティ４の底部とを有している。このキャビティ４は、種々の壁によって構成される周辺部６によってその横方向に形成されている。
【００３５】
より詳しくは、この周辺部６は、ヘッドのソールを形成する底部壁７と、インパクトの瞬間に地面に接する底部面８とを具備している。周辺部6は、二つの側部壁９・１０も有している。その内面１１・１２は、キャビティ４に接している。周辺部６は、上部壁１３も有している。この上部壁１３は、いくつかの面を備えている。すなわち、・ゴルファーがボールを打つときに、ゴルファーの視界に入る上部面１４と、・キャビティ４に向かう下部面１５と、・打撃面にほぼ平行にかつヘッドの後ろに向かう後部面１６と、・側部壁９・１０との境界で接する側部面１７・１８と、を備えている。
【００３６】
前記上部壁１３は、厚さの中を中空にした１または２以上の凹所を有している。
【００３７】
図１〜３に示される形状では、これらの凹所２０〜２３は、上部壁１３の後部面１６に開口している。これらの凹所２０−２３は、ほぼ水平方向に上部壁１３の長手方向に細長い形状をしている。
【００３８】
図１に示すように、１個の凹所２１は、上部壁１３の主方向で幅ｌを有するとともに、この方向に対して直交方向で測定される高さｈを有している。
【００３９】
互いに対向する前記凹所２１の壁２５・２６は、ほぼ平行か、または同じ曲率を持っている。凹所２０〜２３の開口部の全体的な形状は、長方形または台形であっても良いし、あるいはより一般的にはそれらを形成するために使用される工具や金型による若干丸みを帯びた端部を有していても良い。
【００４０】
図２に示すように、各凹所２０−２３は、問題の領域の壁の厚さｅの１０〜９０％となる深さPだけ上部壁１３の内側に凹んでいる。幅ｌと高さｈと深さｐの三つのパラメータの組み合わせが凹所の容積をほぼ決定する。除去することが望ましい物質の量により、この容積は、これらの各パラメータｌ・ｈ・ｐを変化させることにより調節される。
【００４１】
これらの各凹所２０−２３の位置と寸法は、周辺部６の内側の重量の配分を変更させるという観点で、上部壁１３の重量の軽量化が最適となるように適合される。したがって、２００〜３００グラムというヘッドの全体重量に対して、複数の凹所を形成するために除去される物質の量は、０．８〜２グラム程度である。
【００４２】
もちろん、凹所の数が４個の図１〜３に示された一つの実施例に限定されるのではなく、その数が１個から１０個以上まで変化する中から選択される形状をカバーする。
【００４３】
前記凹所の形状は、図１に示されたこの形状に限定されるものではない。逆に、凹所３０がほぼ円筒状で、例えばドリルによって穴あけ加工された、図４に示す他の形状をカバーする。
【００４４】
これらの凹所３０の直径φとその数は、上部壁１３から除去されるために必要な物質の量を適切にするために適合化することができる。もちろん、各凹所の開口部は、例えば楕円形または円錐形またはそれ以外の他の形状を採用しても良い。
【００４５】
したがって、このような方法で上部壁１３に形成された凹所は重量を減らし、かつシャフトの軸１９に対して及び／又はソール７のベース８に対して重心位置を修正する。このことによって、シャフトの軸に対する慣性を変化させることができる。慣性の変化によってヒットする力を増加させることになる。また、重心の高さの変化によって弾道を改善することができる。
【００４６】
上述したように、特徴のある凹所は、図５〜７に図示されるもののように他の実施形態の形状のように形成しても良い。したがって、図５の凹所３３は、側方に上部壁１３の側部面１７に開口している。特に、前記凹所３３の開口３４は、凹所の軸線３５に沿って見た場合に、環状である。この凹所３３は、ドリル加工で形成しても良いし、フライス加工でもよい。円筒状の場合製造するに際して有利であるが、異なった形状を採用することは容易である。
【００４７】
前記凹所３３の影響は、上部壁１３から除去される物質の容積とそれゆえの量を変化させることによって変更することができる。より詳しくは、凹所３３の容積は、本質的にはその長さＬと開口３４の面積、すなわちその直径に依存している。上部壁内の凹所３３の位置は、若干、変更することもできる。すなわち、この凹所３３は、打撃面３と上部壁１３の下部面１５とに近づけても良いし、遠ざけても良い。
【００４８】
前記凹所３３の長さＬを増すことによって、上部壁１３の重量は減るとともに、ヘッドの重心は、それに対応して低くなる。同様に、長さＬを増すことによって、シャフトの軸に対するヘッドの慣性モーメントは、減少する。
【００４９】
実際に、前記凹所３３の長さは、上部壁１３の全体長さの１０〜９０％の範囲であってよい。その直径は３ｍｍ程度である。
【００５０】
すでに上記したように、前記特徴の凹所は、同じセット内の１本のクラブから他のクラブまで異なっている。
【００５１】
同様に、図８ａ・８ｂ・８ｃに図示されるように、凹所の数は、実際のセット中で変化させてもよい。したがって、ロングアイアンである２番アイアンに相当する前記ヘッド４０は、上部壁１３内に形成された５つの凹所４１−４５を持っている。これらの様々な凹所は異なった長さを持っているという点が留意される。
【００５２】
図８ｂに図示されるような５番アイアンのような中間のクラブ４６は、ちょうど３個の凹所を持っている。これらの凹所４７−４９は、２番アイアンのクラブの凹所４１・４２・４３と同一であっても良いが、３個でなくても良い。
【００５３】
３個の凹所４７・４８・４９の重心は、図８ａの２番アイアンのクラブ４０の凹所４１−４５の重心と、上部壁１３に対してほぼ同じ位置である。換言すれば、２番アイアンから５番アイアンまで凹所の数を減少させることによって、ほぼ垂直方向で、中心すなわち重心Ｇ４０・Ｇ４６だけを上方にシフトさせることになる。図８ｂに図示された重心Ｇ４０・Ｇ４６は、正確には記載していないが、単純化して図示している。
【００５４】
同様にして、図８ｃに図示された９番アイアンのクラブ５０は、凹所５１はたった１個だけである。この凹所５１は、２番アイアンのクラブ４０と５番アイアンのクラブ４６の凹所の重心と、上部壁１３に対して同一の重心を持っている。すなわち、９番アイアンのヘッドの重心５０は、クラブ４０・４６の重心Ｇ４０・Ｇ４６に対してほぼ垂直にシフトしている。
【００５５】
もちろん、種々の凹所４１−４５・４７−４９・５１の形状と大きさは、同じセットの中で１本のクラブから他のクラブへと互いに異なっていてもいいし、隣り合う番手のクラブに対してほぼ同じであっても良い。
【００５６】
図９ａ・９ｂ・９ｃは、アイアンクラブセットの他の実施形態の形状を図示している。すなわち、図９ａに図示されたクラブ５３は、２番アイアンのようなロングアイアンである。それは、若干ヘッドのヒール側に位置する凹所５４を持っている。凹所５６の重心とシャフト５５の軸間の距離は、ｄ２で示される。
【００５７】
図９ｂに図示されるヘッド５７を持ったミドルアイアンの５番アイアンは、２番アイアンのクラブの凹所５６と同一容積を持った凹所も持っている。シャフトの軸５５からこの凹所の重心５９までの離間距離ｄ５は、２番アイアンのクラブで計算される距離ｄ２よりも大である。ヘッド５７の重心Ｇ５７は、２番アイアンの重心Ｇ５３よりもシャフト５５の軸に近くなっている。さらに、この重心は、上部壁１３の傾斜によって、この凹所５８が、凹所５６よりも高くなるために、上方にシフトする。
【００５８】
同様にして、図９ｃに図示されるヘッドを持った９番アイアンのクラブは、２番アイアンと５番アイアンの凹所５６・５８と同じ容積の１個の凹所を持っている。軸５５から凹所６１の重心６２までの離間距離ｄ９は、５番アイアンのクラブで測定される距離ｄ５よりも大である。９番アイアンのクラブヘッドの重心Ｇ６０は、重心Ｇ５７・Ｇ５３の重心と比較してヒール側に水平方向にシフトしている。
【００５９】
セット内で種々のクラブの重心位置を変化させる別の方法が、図１０ａ〜１０ｃに図示されている。より詳細には、２番アイアン６５のヘッドは、ヘッド６５の上部壁１３の全体に亘って分布する５個の凹所６６−７０を持っている。これに対して、５番アイアンのクラブのヘッド７１も、５個の凹所７２−７６を持っているとともに、上部壁１３に沿って分布している。これらの各凹所７２−７６は、前記ヘッド６５の対応する凹所６６−７０よりも容積が若干少なくなっている。最後に、全凹所の全部の容積は、２番アイアンよりも５番アイアンの方が少なくなっている。２番アイアンのクラブのヘッドの重心Ｇ６５は、５番アイアンのクラブの重心Ｇ７１よりも低い位置になることになる。
【００６０】
同様にして、９番アイアンのクラブのヘッド７７は、上部壁１３の長さに沿って分布した５個の凹所７８−８２を持っている。これらの各凹所７８−８２は、低番手のクラブの凹所よりも小さな容積を持っている。これによって、低番手のクラブの重心Ｇ７１・Ｇ６５に対してより高い重心位置Ｇ７７になる。
【００６１】
もちろん、番手を変化させる種々の方法と、各凹所の位置と、各凹所の容積とは、各ヘッドの重心の変化が最適となるように、一つのセットの中で組み合わせることができる。
【００６２】
本発明によるクラブヘッドが、そのパフォーマンスを最適にするために同じセットの各クラブに適したヘッドの周辺部の重量配分を可能にするとともに、適切なヘッド剛性を維持することを可能にすることは、上述したように明らかである。
【００６３】
この重量配分を最適化する方法は、各アイアンのパフォーマンスを最適化するために同一セット内で種々の方法で変化させることができる。
【図面の簡単な説明】
【００６４】
【図１】第１実施形態によるゴルフクラブヘッドの後ろから見た図である。
【図２】面II−II’の図１における断面図である。
【図３】図１のヘッドを上から見た図である。
【図４】第２実施形態によるヘッドを後ろから見た図である。
【図５】第３実施形態によるヘッドを後ろから見た図である。
【図６】図５の右側面から見た図である。
【図７】図５を上から見た図である。
【図８ａ】異なる番手を持った同じセットのクラブの３個のヘッドを後ろから見た図である。
【図８ｂ】異なる番手を持った同じセットのクラブの３個のヘッドを後ろから見た図である。
【図８ｃ】異なる番手を持った同じセットのクラブの３個のヘッドを後ろから見た図である。
【図９ａ】第２のクラブセットに関する３個のヘッドを後ろから見た図である。
【図９ｂ】第２のクラブセットに関する３個のヘッドを後ろから見た図である。
【図９ｃ】第２のクラブセットに関する３個のヘッドを後ろから見た図である。
【図１０ａ】本発明による第３のクラブセットに関する３個のヘッドを後ろから見た図である。
【図１０ｂ】本発明による第３のクラブセットに関する３個のヘッドを後ろから見た図である。
【図１０ｃ】本発明による第３のクラブセットに関する３個のヘッドを後ろから見た図である。
【符号の説明】
【００６５】
１  ヘッド
１３上部壁
１４  上部面
１５  下部面
１６  後部面
１７・１８  側部面
２０−２３  凹所
【国際公開パンフレット】
2004531298.tif 000003
2004531298.tif 000004
2004531298.tif 000005
2004531298.tif 000006
2004531298.tif 000007
2004531298.tif 000008
2004531298.tif 000009
2004531298.tif 000010
2004531298.tif 000011
2004531298.tif 000012
2004531298.tif 000013
2004531298.tif 000014
2004531298.tif 000015
2004531298.tif 000016
2004531298.tif 000017
2004531298.tif 000018
2004531298.tif 000019
2004531298.tif 000020
2004531298.tif 000021
2004531298.tif 000022
2004531298.tif 000023
【国際調査報告】
2004531298.tif 000024
2004531298.tif 000025
2004531298.tif 000026
2004531298.tif 000027
2004531298.tif 000028
2004531298.tif 000029